(57)【要約】【課題】デジタルカメラ等の画像撮影装置では、枚数の多い静止画や長時間の動画データを記録しようとすると、大量の記録媒体を準備しなければならず、しかも撮影した静止画や動画の撮影後に行う編集作業は、撮影枚数や撮影時間が多いと多大な時間を要するため、撮影画像の整理が非常に不便であった。【解決手段】画像撮影装置で撮影された静止画や動画の映像信号に基づく高画質データを外部の記録容量が大きい記録手段に記録し、画像撮影装置側の容量の小さい記録手段からは高画質データを消去して前記映像信号の縮小データのみを残し、前記縮小データに基づいて編集した編集情報により、記録容量の大きい記録手段に記録された高画質データを編集するようにした。【選択図】図１
2005223795.tif 000002
【特許請求の範囲】
【請求項１】
撮像素子で撮影された映像信号に基づく高画質データと縮小データ作成手段によって作成された前記高画質データよりもデータ量が少ない縮小データ及び前記縮小データに関連づけられた第１の編集情報が記録される第一の記録手段と、前記高画質データとともに第１の編集情報を送信して外部の第二の記録手段に記録する送信手段と、表示部及び操作部を備え、前記第一の記録手段に記録された縮小データによる映像を前記表示部に表示させながら第１の編集情報と関連して作成した第２の編集情報を前記第一の記録手段に記録し、前記第一の記録手段に記録された第２の編集情報により前記第二の記録手段に記録された高画質データを編集可能に構成したことを特徴とする画像撮像装置。
【請求項２】
第２の編集情報に基づいて同一類型の縮小データ映像のグループ分けを示す第３の編集情報を第一の記録手段に記録し、第二の記録手段に記録された高画質データを前記第３の編集情報に対応して編集可能に構成したことを特徴とする請求項１に記載の画像撮像装置。
【請求項３】
送信手段により高画質データとともに第１の編集情報の送信の完了により第一の記録手段に記録されている高画質データを消去するように構成したことを特徴とする請求項１または請求項２に記載の画像撮像装置。
【請求項４】
請求項１乃至請求項３に記載の画像撮像装置を備え、第二の記録手段に記録された映像信号をパーソナルコンピュータ等の機器側の記録媒体に記録し、その機器の記録媒体に記録された映像信号を編集することを特徴とする画像編集システム。
【請求項５】
画像撮像装置の撮像素子により画像を撮影する工程と、前記撮像素子からの映像信号に基づく高画質データのデータ量よりも少ない縮小データを作成する工程と、前記高画質データと縮小データ及びそれらのデータと関連づけられた第１の編集情報を第一の記録手段に記録する工程と、前記高画質データと第１の編集情報を送信して前記画像撮像装置の外部に設けた第二の記録手段に記録する工程と、前記高画質データと第１の編集情報の送信の完了により第一の記録手段から高画質データを消去する工程と、前記縮小データを表示部に表示させる工程と、前記表示部に表示された画像を基に前記第１の編集情報に関連づけられた第２の編集情報を作成する工程と、前記第２の編集情報を基に前記第二の記録手段に記録された高画質データを編集する工程を備えることを特徴とする画像編集方法。
【請求項６】
画像撮像装置の撮像素子により画像を撮影する工程と、前記撮像素子からの映像信号に基づく高画質データのデータ量よりも少ない縮小データを作成する工程と、前記高画質データと縮小データ及びそれらのデータと関連づけられた第１の編集情報を第一の記録手段に記録する工程と、前記高画質データと第１の編集情報を送信して前記画像撮像装置の外部に設けた第二の記録手段に記録する工程と、前記高画質データと第１の編集情報の送信の完了により第一の記録手段から高画質データを消去する工程と、前記縮小データを表示部に表示させる工程と、前記表示部に表示された画像を基に前記第１の編集情報に関連づけられた第２の編集情報を作成する工程と、前記第二の記録手段に記録された高画質データと第１の編集情報をパーソナルコンピュータ等の機器の記録媒体に記録する工程と、前記第２の編集情報を基に前記機器の記録媒体に記録された高画質データを編集する工程を備えることを特徴とする画像編集方法。
【発明の詳細な説明】
【技術分野】
【０００１】
本発明は、撮像素子により光電変換された映像信号を記録することが可能な、例えばデジタルカメラ等の画像撮像装置及び画像編集方法に関し、特に、撮像した画像の高画質データをネットワーク回線を通じて電送し、かつその画像データの編集が簡便に行えるようにしたものである。
【背景技術】
【０００２】
従来、写真を撮影するには撮影画像を銀塩フィルムに記録する銀塩カメラが使用されてきたが、近年はこの銀塩カメラに置き換わって、デジタルカメラの台頭が顕著となってきている。
【０００３】
従来の銀塩カメラでは、現像処理が完了してからでないと撮影した画像を確認することができず、また、現像処理の時間が短縮されてきているとはいえ、最低でも３０分程度は待たなければならない。さらに、これら現像処理のためにはＤＰＥ店舗に足を運ぶ必要があり、たとえ、現像機が自宅にあっても現像処理を行うには相当の専門知識がないと不可能であった。また、画像データの記録媒体として、銀塩フィルムを用いているため、一度撮影したフィルムの再利用は不可能であり、経済的にも不経済であった。
【０００４】
これに対して、近年台頭してきたデジタルカメラは、撮影した画像を電子的に書き換え可能な記録媒体に記録するものであり、撮影直後に撮影画像の確認が可能であり、気に入った画像については家庭用プリンタで簡単にプリントアウトができ、画像データについても、パソコンの記録媒体に記録したり、可搬型ディスク等のメディアに記録したりすることで半永久的に保存が可能であり、色や色調等の微妙な調整も撮影の後からパソコン等で調整可能であるため、極めて便利で使い勝手もよく、さらに、気に入らない画像データについては消去することも可能であり、また記録媒体についても記録した画像データを別の記録媒体に移動すれば何度でも使用可能である、という利点がある。
【０００５】
さらに、近年はインターネット、ブロードバンド等のネットワーク通信機能の発達及び携帯電話機器の普及に加え、これら携帯電話機器の中でもカメラ機能が付加されたモデルの比率が増大し、携帯電話機器で画像データを伝送することも可能となってきている。
【０００６】
かかる状況の中で、このようなデジタルカメラ及び携帯電話機器が、結婚式、入学式、運動会等の、日常生活の中で特に画像データを取り扱う場面で使用される頻度が増加している。
【０００７】
なお、この出願の発明に関する先行技術文献情報としては、例えば特許文献１が知られている。
【特許文献１】特開２００１−６１１２５号公報
【発明の開示】
【発明が解決しようとする課題】
【０００８】
上記のデジタルカメラ及び携帯電話機器のカメラ機能が使用される時に、画質の良い画像データを扱おうとすればデータのファイルサイズが大きくなり、特に動画データの場合はさらにファイルサイズが大きくなるので、長時間の撮影には不向きであった。一方、結婚式や入学式等の記念行事は、当事者にとっては一生に一度のことであり、せっかくの機会を逃したくない、ということから、必要以上の枚数を撮影し、後に良い画像、場面、シーンを選出して編集したり、プリントアウト等の作業を行うことが多かった。しかし、そのためには大きなメモリ容量が必要であり、例えば、可搬型の不揮発性メモリ等を大量に購入するのは価格も高く、経済的ではない上に編集作業にも多大の労力を要する。
【０００９】
また、場所を問わず撮影が可能な環境になっているため、記録媒体に記録された画像データは多岐多様にわたるものとなり、例えば、類型毎にグループ分けする作業も面倒なものとなっている。
【００１０】
本発明はデジタルカメラやカメラ機能付き携帯電話機器等の通信機器を用いて、大量の記録媒体を準備しなくとも、高画質の画像データあるいは長時間の動画データを記録し、その後、所望の画像データをプリントアウトし、また長時間に及ぶ動画データを簡単に編集でき、さらに大量の画像データに対するグループ分けが簡単に行える画像撮像装置及び画像編集方法を提供するものである。
【課題を解決するための手段】
【００１１】
本発明は、撮像素子で撮影された映像信号に基づく高画質データと縮小データ作成手段によって作成された前記高画質データよりもデータ量が少ない縮小データ及び前記縮小データに関連づけられた第１の編集情報が記録される第一の記録手段と、前記高画質データとともに第１の編集情報を送信して外部の第二の記録手段に記録する送信手段と、表示部及び操作部を備え、前記第一の記録手段に記録された縮小データによる映像を前記表示部に表示させながら第１の編集情報と関連して作成した第２の編集情報を前記第一の記録手段に記録し、前記第一の記録手段に記録された第２の編集情報により前記第二の記録手段に記録された高画質データを編集可能にした画像撮像装置である。
【００１２】
また、上記において、第２の編集情報に基づいて同一類型の縮小データ映像のグループ分けを示す第３の編集情報を第一の記録手段に記録し、第二の記録手段に記録された高画質データを前記第３の編集情報に対応して編集可能にした画像撮像装置である。
【００１３】
さらに、上記において、送信手段により高画質データとともに第１の編集情報の送信の完了により第一の記録手段に記録されている高画質データを消去するようにした画像撮像装置である。
【００１４】
また、上記に記載の画像撮像装置を備え、第二の記録手段に記録された映像信号をパーソナルコンピュータ等の機器側の記録媒体に記録し、その機器の記録媒体に記録された映像信号を編集することを特徴とする画像編集システムである。
【００１５】
また、画像撮像装置の撮像素子により画像を撮影する工程と、前記撮像素子からの映像信号に基づく高画質データのデータ量よりも少ない縮小データを作成する工程と、前記高画質データと縮小データ及びそれらのデータと関連づけられた第１の編集情報を第一の記録手段に記録する工程と、前記高画質データと第１の編集情報を送信して前記画像撮像装置の外部に設けた第二の記録手段に記録する工程と、前記高画質データと第１の編集情報の送信の完了により第一の記録手段から高画質データを消去する工程と、前記縮小データを表示部に表示させる工程と、前記表示部に表示された画像を基に前記第１の編集情報に関連づけられた第２の編集情報を作成する工程と、前記第２の編集情報を基に前記第二の記録手段に記録された高画質データを編集する工程を備える画像編集方法である。
【００１６】
さらに、画像撮像装置の撮像素子により画像を撮影する工程と、前記撮像素子からの映像信号に基づく高画質データのデータ量よりも少ない縮小データを作成する工程と、前記高画質データと縮小データ及びそれらのデータと関連づけられた第１の編集情報を第一の記録手段に記録する工程と、前記高画質データと第１の編集情報を送信して前記画像撮像装置の外部に設けた第二の記録手段に記録する工程と、前記高画質データと第１の編集情報の送信の完了により第一の記録手段から高画質データを消去する工程と、前記縮小データを表示部に表示させる工程と、前記表示部に表示された画像を基に前記第１の編集情報に関連づけられた第２の編集情報を作成する工程と、前記第二の記録手段に記録された高画質データと第１の編集情報をパーソナルコンピュータ等の機器の記録媒体に記録する工程と、前記第２の編集情報を基に前記機器の記録媒体に記録された高画質データを編集する工程を備える画像編集方法である。
【発明の効果】
【００１７】
本発明によれば、例えば画像撮像装置に内蔵、あるいは装着された記録手段に記録する画像データと連動した編集情報を用いることにより、装置本体とは別の場所に記録した高画質の画像を簡単に編集することができ、またその画像は静止画のみならず、動画であっても編集作業は画像撮像装置側で簡単に行えるため、画像編集に便利な装置と方法である。
【００１８】
そして、本発明は画像撮像装置側の記録手段には縮小データを残し、高画質データはこの装置とは別の記録手段に記録するようにしたため、画像撮像装置側の記録手段は記録容量が小さなものでよいため、大量の記録媒体を準備する必要がないものである。
【発明を実施するための最良の形態】
【００１９】
（実施の形態）
以下、図面を参照して本発明の実施の形態例を説明する。図１は本発明のシステム構成を示す概略図である。
【００２０】
１は撮像素子により光電変換された映像信号を記録することが可能な画像撮像装置（以下、カメラという）であり、２はカメラ１に内蔵及びまたは着脱可能に設けられた第一メモリ（記録媒体）であり、各種メモリカード等の不揮発性メモリが知られている。３はインターネット上のサーバであり、４はサーバ３に設けられた第二メモリ（記録媒体）で、これは前記第一メモリ２よりも記録容量が大きい。５はカメラ１とインターネット間を通信で連結する第一ネットワークであり、カメラ１から第二メモリ４へ第一ネットワーク５を通じて画像データ等の送受信が可能である。６はパーソナルコンピュータ等の記録媒体を有する機器であり、その記録媒体の記録容量は第一メモリ２よりも大きく、サーバ３と第二ネットワーク７を通じて画像データ等の送受信が可能なように構成されている。
【００２１】
以上のようなシステム構成を基に本発明の実施例について以下詳細に説明する。
【００２２】
（実施例１）
操作者は、例えば図３に示す操作ボタン１２の操作によりカメラ１を撮影開始時点までにサーバ３との間で通信が可能な状態、すなわち画像データの送信が可能な状態に設定しておく。カメラ１は静止画撮影の場合、数１００〜１メガバイトの高画質データ（本発明においては、圧縮されていない生のデータあるいは例えばＪＰＥＧ方式等で圧縮されたフルサイズのデータを指し、以下同じ）と、その高画質データを間引く等によりそれよりもデータ量が少ない、約数Ｋバイトの縮小データを作成可能で、さらに、これら高画質データと縮小データを第一メモリ２に自動的に記録するとともに、各撮影の経過とともに変化するアドレス情報（第１の編集情報）も作成し、このアドレス情報も第一メモリ２に記録されるように構成されている。これらの記録の様子を図２に示す。
【００２３】
前記アドレス情報は高画質データ及び縮小データと対応した位置情報として第一メモリ２に記録され、したがって特定のアドレス情報がわかれば、そのアドレス情報に対応する高画質データ、縮小データを呼び出すことができる。
【００２４】
カメラ１で撮影された画像データのうち、高画質データとアドレス情報が通信可能状態となっている第一ネットワーク５を介して操作ボタン１２の操作により、または１枚の撮影がなされる毎にそのカメラ１に備えられた送信手段（図示せず）から自動的にサーバ３に送信され、第二メモリ４に記録される。そして高画質データとアドレス情報のサーバ３への送信が完了すると第一メモリ２に記録されていた高画質データは自動的に消去され、その第一メモリ２には縮小データとアドレス情報のみが記録されている。
【００２５】
ここで、データ容量が大きい上記高画質データの送信について、通信速度のスピードが遅い場合は、例えば一時的に数枚の高画質データを第一メモリ２に蓄え、撮影が一段落した時点で、操作ボタン１２の操作により送信手段によりサーバ３に送信し、第二メモリ４に記録する構成とすることもでき、この場合は通常はカメラ１とサーバ３の通信状態は遮断しておき、カメラ１からサーバ３への高画質データの送信時のみ操作ボタン１２で通信可能状態とすればよい。もちろん、これは通信速度が遅い場合に限らず、通常時においてもカメラ１からサーバ３への高画質データの送信時のみ操作ボタン１２で送信手段により通信可能状態として例えば数枚あるいは数十枚の高画質データを送信してもよい。
【００２６】
このように撮影が進行し、終了した時点では、第二メモリ４に記録された高画質データとアドレス情報及び第一メモリ２に記録された縮小データとアドレス情報は図２に示すように時系列順に同じ順序で記録されている。
【００２７】
上記のように、撮影された映像信号の高画質データはカメラ１の外部に設けられた第二メモリ４に記録され、カメラ１側の第一メモリ２には高画質データの縮小データを記録するようにしたため、この第一メモリ２は第二メモリ４よりも記録容量が各段に小さくてよく、したがって、カメラ１の記録容量の小さなメモリで、予備のメモリを必要とせずに多くの撮影が可能である。
【００２８】
ここで、カメラ１は高画質データと縮小データを作成して第一メモリ２にこれらを記録するものとして説明したが、予め縮小データは作成せず、高画質データの送信と同時に縮小データを作成し、これを高画質データの消去と入れ替えに第一メモリ２に記録するようにしてもよい。
【００２９】
次に、操作者は図３に示すようにカメラ１に備えられた表示部１１を用いて撮影データの確認をすることができ、それと同時にカメラ１の操作により第２の編集情報を作成することができる。以下これについて説明する。
【００３０】
カメラ１に設けられた操作ボタン１２の操作により画像データを再生し、確認することができる。なお、操作ボタン１２は後述するしおり情報の作成にも用いられる。
【００３１】
まず、カメラ１側の第一メモリ２に記録された縮小データは、とりあえず全ての画像データに対する縮小データが時系列に記録された状態であり、これらのデータの編集作業について説明する。
【００３２】
操作者は操作ボタン１２により、第一メモリ２に記録された撮影画像の縮小データを表示部１１に順次表示させ、編集後の画像データとして欲しい各画像データに対して操作ボタン１２により、しおり情報（第２の編集情報）を入力する。このしおり情報は複数の異なるしおりデータとして操作ボタン１２の操作により入力することが可能となっている。
【００３３】
図４は上記しおり情報を入力し、第一メモリ２に記録された状態を示した図で、Ａ〜Ｃでアドレス情報の記録位置に向う矢印がそれぞれ異なるデータのしおり情報を入力したポイントを示す。
【００３４】
このように、多数撮影した静止画の縮小データに対して、Ａ〜Ｃのしおり情報がアドレス情報に含まれる形で第一メモリ２に記録されることにより、抽出画像データを同一類型でグルーピングしたＡ〜Ｃの３つのグループに簡単にグループ分けを行うことができる。
【００３５】
例えば、ゴルフコンペ等のイベントにおいて、被写体の人物毎にグループ分けをすることが可能となり、撮影終了後の画像の整理が効率的に行える。もちろん不要な画像にはしおり情報を付加しないようにすればよい。このようにして多数撮影した静止画像のグループ分けを行う。
【００３６】
なお、操作者は上記編集作業を行った後、さらに操作ボタン１２の操作によりこれらの内容を入れ替えたり、削除したり、または追加したりすることが可能である。そして編集作業を終えた編集縮小データは第一メモリ２に記録された状態にある。
【００３７】
上記編集作業において、画像の並び替えの際には、例えば各縮小データによるＡグループの縮小画像の複数枚を表示部１１にサムネイル表示し、図３における操作ボタン１２の操作により、縮小画像を並び替えることで編集することができる。例えば、操作ボタン１２には少なくとも画像選択機能を有するボタンと、セットボタンがあり、表示部１１に９分割表示された縮小画像を見ながら操作ボタン１２のうち画像選択機能を有するボタンによって、１つの画像を選択し、次にセットボタンを操作することによりその選択画像を最初の画像として選択し、次にまた画像選択機能を有するボタンにより画像を選択し、セットすることによってその選択された画像を第二の画像として選択し、この操作を繰り返すことで操作者は所望の順序で撮影画像を並び替えることができる。
【００３８】
そして、上記グループ分けされた個々の画像に対して、さらに「グループＡ」、「グループＢ」、「グループＣ」のように同一類型にグループ分けをするグループ情報（第３の編集情報）を操作ボタン１２により入力し、これを先に記録されているアドレス情報に付加する。このようにして、第一メモリ２には編集された縮小データとともにこれらに対するグループ情報も付加された状態で記録される。
【００３９】
次に、カメラ１側の具体的な操作について説明する。
【００４０】
図５はカメラ１の表示部１１に９分割されたマルチ画面を表示させながら、上記操作を行う時の表示部１１を示した図である。
【００４１】
まず、操作者は撮影した縮小画像を表示部１１に図５（ａ）に示すようにサムネイル表示する。次に、図５（ｂ）に示すように操作ボタン１２により編集したい画像を選択する。ここでは「３」で示した画像を選択し、そしてセットボタンを操作することで確定する。例えば、操作ボタン１２を操作することで選択された画像に枠表示されるようにしておけば、操作者はどの画像が選択されているのか容易に知ることができる。そして、所望の画像に枠表示された状態で「グループＡ」に分類するための指標であるグループ情報を操作ボタン１２から入力することにより、この画像を類型「グループＡ」として図５（ｃ）に示すように確定することができる。ここでのグループ情報の入力については、カメラ１の操作部として、キーボード入力であってもよいし、表示部に文字データが表示され、それを選択し、確定していく等の方法を用いることができる。
【００４２】
また、操作ボタン１２は十字キーのような操作部材であってもよい。この作業を繰り返すことにより、操作者は表示部１１にサムネイル表示をさせながら簡単に選択画像を抽出してグループ分けをすることができる。また、画像の選択については、複数枚を選択して一括して確定させることも可能であり、この場合は画面ごとに同じ操作を繰り返す必要がないので操作が短縮される。このようにして縮小データに対する編集作業とともにグループ情報が第一メモリ２に記録される。
【００４３】
上記の編集作業はカメラ１のみの操作で可能であるため、操作者は撮影終了後の移動時間等を有効に活用して行うことができる。また、操作者はカメラ１の表示部１１に上記の編集画像を表示して思い通りに編集されているかどうかを確認することもできる。
【００４４】
次に、操作者は上記グループ情報を用いてサーバ３の第二メモリ４に記録されている高画質データの編集、すなわち、高画質画像データの編集を行うことができる。
【００４５】
この編集作業について図６を用いて説明すると、操作者は機器６のハードディスク、あるいはＣＤ−Ｒ／ＲＷ、ＤＶＤ−Ｒ／ＲＷ等の記録媒体を準備する。そして、機器６にカメラ１を接続してその機器６の記録媒体にカメラ１の第一メモリ２から前述の編集作業により編集された縮小データのグループ情報を編集情報読み取り手段１６により読み取る。
【００４６】
この状態で、パーソナルコンピュータ等の機器６とサーバ３との間を第二ネットワーク７で接続してサーバ３の第二メモリ４にアクセス可能にし、その第二メモリ４から高画質データ読み取り手段１５により高画質データとアドレス情報を読み取り、前記編集情報読み取り手段１６で読み取った縮小データのグループ情報に含まれるアドレス情報と高画質データ読み取り手段１５で読み取ったアドレス情報の一致を検索し、編集手段１７は前記アドレス情報が一致する高画質データとアドレス情報及びグループ情報の合成データを編集画像記録手段１８に記録する。なお、この編集画像記録手段１８は上記機器６のハードディスク、あるいはＣＤ−Ｒ／ＲＷ、ＤＶＤ−Ｒ／ＲＷ等の記録媒体である。
【００４７】
前記編集情報読み取り手段１６により読み取られるグループ情報は、前記の例で説明すると、「グループＡ」、「グループＢ」、「グループＣ」の順に読み取られる。したがって、まず、グループＡに分類された高画質データがそのアドレス情報を基に抽出されて編集手段１７で合成され、続いてグループＢに分類された高画質データが合成され、同様に残りのグループＣの高画質データが抽出されて合成され、順次編集画像記録手段１８に記録される。この編集画像記録手段１８への記録、保存は、例えば、グループ毎にフォルダを作成して各フォルダに各グループに分類された高画質データを記録することが望ましい。
【００４８】
前記編集画像記録手段１８への高画質データの記録が完了すれば、機器６とサーバ３との接続を解除し、その後機器６により、例えばグループ順に高画質の画像としてプリントしたり、保存のために別途用意した記録媒体に記録したりすることができる。
【００４９】
なお、上記の説明ではサーバ３の第二メモリ４から第二ネットワーク７を通じて順次グループ情報に基づいて高画質データが編集画像記録手段１８に記録されるようにしたが、これは第二メモリ４から一括して高画質データを機器６の記録媒体に記録し、その後機器６側においてその高画質データからグループ情報に基づいて抽出した編集高画質データのみを編集画像記録手段１８に記録するようにしてもよいし、または、カメラ１からグループ情報をサーバ３に送信し、第二メモリ４内で高画質データをグループ化するようにしてもよく、さらに、この場合第二メモリ４においてグループ毎にフォルダを作成して各フォルダに各グループに分類された高画質データが記録されるようにしてもよい。このように第二メモリ４における高画質データをグループ情報で分類することにより、編集者だけでなく、被撮影者がサーバ３にアクセスしてグループ化された被撮影者の画像を自身のパーソナルコンピュータ等の機器にダウンロードすることができる。
【００５０】
また、上記では縮小データのグループ情報を機器６にカメラ１を接続して編集情報読み取り手段１６により読み取るようにしたが、これは縮小データとともにグループ情報がカメラに装着したメモリカードに記録される形式であれば、そのメモリカードをカメラ１から取り出して機器６に装着し、その状態でグループ情報をメモリカードから機器６が直接読み取るようにしてもよい。
【００５１】
（実施例２）
次に、静止画だけではなく、静止画と動画が混在する状態で撮影した場合について、説明する。この実施例２は上記実施例１を基本として異なる部分について説明する。
【００５２】
この静止画と動画が混在して撮影した場合は、静止画については上記実施例１と同様に、カメラ１側の第一メモリ２に高画質データ及び縮小データとアドレス情報（第１の編集情報）が記録され、動画についてはその動画を構成する各コマの高画質データとその縮小データ及び各コマ毎のアドレス情報が記録される。この記録の様子を図７に示す。
【００５３】
この動画の縮小データについては、フレームレートを落とす方法を用いてもよく、例えば、高画質データは１秒間に３０フレーム（コマ）数を再生するのであれば、縮小データは１秒間に１５フレーム数として、ファイルサイズを小さくしてもよい。
【００５４】
前記アドレス情報は高画質データと縮小データと対応しており、アドレス情報がわかれば、そのアドレス情報に対応する位置の高画質データ、縮小データを呼び出すことができる。
【００５５】
実施例１と同様に、撮影と同期あるいは撮影の時々においてカメラ１からサーバ３の第二メモリ４に静止画と動画の高画質データとアドレス情報を送信し、その各送信が終了した時点では、第一メモリ２からは実施例１と同様に各高画質データは自動的に消去される。
【００５６】
そして、第二メモリ４に記録された高画質データ及びアドレス情報と、第一メモリ２に記録された縮小データ及びアドレス情報は通常、図７に示すように時系列順に同じ順序で記録されている。
【００５７】
撮影データの確認及び編集情報の作成についても実施例１と同様にカメラ１の操作ボタン１２により行うことができる。
【００５８】
ここで、動画について、各コマ全ての縮小データを作成しているため、操作ボタン１２により１コマづつ再生して精度の高い編集作業が行える。
【００５９】
次に、しおり情報（第２の編集情報）の入力について説明する。操作者は操作ボタン１２により、撮影画像を表示部１１に表示し、編集後のデータとして欲しい画像データを抽出する。すなわち、必要な画像データに操作ボタン１２によりしおり情報を入力する。
【００６０】
図７に示すように、静止画データについてのしおり情報の入力は図４の場合と同様であり、動画データについてのしおり情報の入力は、各動画が複数のコマ画像から構成されていることから、選択したい動画部分の最初と最後のコマ画像を選択する必要がある。
【００６１】
図８（ａ）は、まず図７のように撮影された静止画と動画の縮小データをカメラ１の表示部１１にサムネイル表示した状態であり、撮影順に１は静止画、２は動画、３、４、５は静止画、６は動画、７は静止画、８は動画、９は静止画で、各動画は最初のコマが表示され、かつ動画であることを示す「Ｍ」が表示されている。
【００６２】
前記動画についてしおり情報を付加する編集は、例えば最初の動画「２」を選択すると、図８（ｂ）に示すようにその動画を構成する９個の縮小画像が表示部１１に表示され、この状態で、例えば編集動画としたい最初のコマ画像２−２を選択してここに、例えば「Ｓ」を入力し、次に、終了したいコマ画像２−５を選択して、ここに終了点、例えば「Ｅ」を入力する。この操作により、最初の動画部分が「動画Ａ」として選択される。この例では、動画Ａの終了点は最初の動画データの途中であり、さらにその残りの動画データの途中で開始点Ｓを入力すれば動画Ｂが選択され、そしてその終了点を入力していないためにその動画部分の最後のコマが自動的に終了点となる。なお、コマ画像については、動画像から生成した一定時間おきの静止画像（キャプチャー画像）であってもよい。
【００６３】
図８（ｃ）は上記のようにして選択された動画を確認のための再生をしている状態であり、図８（ｄ）はその再生時間を表示したものである。
【００６４】
さらに、２つ目の動画についても同様に、例えばその途中で開始点Ｓを、また途中で終了点Ｅをそれぞれ入力して動画Ｃを選択し、そのしおり情報を入力して第一メモリ２に記録する。
【００６５】
なお、静止画の選択は上記実施例１の説明と同様であるため、ここでは省略する。
【００６６】
上記のようなしおり情報の入力によれば、抽出画像データは動画Ａ、動画Ｂ、静止画Ｘ、静止画Ｙ、動画Ｃ、静止画Ｚというように選択される。
【００６７】
操作者は上記の編集作業を行った後、さらにこれらの内容を入れ替えたり、削除したり、または追加したりすることが可能である。例えば、まず静止画、そして動画を再生し、かつ、印象的なシーンである動画Ａを繰り返して再生したい場合は、第一メモリ２の縮小データを並び替えることで、最終的には「静止画Ｘ、静止画Ｙ、静止画Ｚ、動画Ａ、動画Ｂ、動画Ｃ、動画Ａ」という再生順序とすることができる。
【００６８】
画像の並び替えの際には、例えば各画像データの縮小データ（動画データであれば各データの最初の一コマの画像）を多画面表示し、カメラ１の操作ボタン１２の操作により、縮小データを並び替えることで編集することができる。例えば、操作ボタン１２には少なくとも画像選択機能を有するボタンと、セットボタンがあり、表示部１１に９分割された縮小画像を表示し、操作ボタン１２のうち画像選択機能を有するボタンによって、画像を選択してセットボタンを操作することでその選択画像が最初の画像として選択され、次にまた画像選択機能を有するボタンで画像を選択し、セットすることでその選択された画像が第二の画像として選択され、この操作を繰り返すことで操作者は所望の順序で選択画像を並び替える。
【００６９】
そして、実施例１の場合と同様に、同一の類型に分類するために「グループＡ」の指標を入力することで、選択された画像群には「グループＡ」の画像データとして、アドレスとリンクしたグループ情報（第３の編集情報）が付加され、第一メモリ２に記録する。グループＢ及びグループＣについても同様の作業を行うことで類型分類であるグループ情報が付加される。
【００７０】
なお、ここでのしおり情報の入力方法についてはこの入力方法に限定されるものではなく、例えば静止画に音声データが付いているような場合は、静止画であってもしおり情報としては開始と終了の２カ所で入力し、第一メモリ２に記録するようにしてもよい。
【００７１】
なお、動画の縮小データが全コマに対して作成されない場合、例えば、一連の動画データの最初の１コマの画像にのみ縮小データが作成される場合とか、所定コマ数ごとに縮小データが作成されるような場合には、その作成された縮小画像が表示される。そして、操作者は選択したい動画に対応する縮小画像を選択する。選択方法は静止画の場合と同様である。この操作により、表示された縮小画像に代表される動画データに対してしおり情報を入力する。
【００７２】
また、上記動画データに対するしおり情報の入力は次のような操作によっても行うことができる。すなわちカメラ１の操作ボタン１２の操作により、その選択した動画データを操作ボタン１２によって、表示部１１で再生し、そして、この再生しながら抽出したい部分の最初及び最後のコマを指定することによりしおり情報を入力し、記録する。これによってもしおり情報を入力することができる。
【００７３】
このように、編集情報はカメラ１のみで作成が可能であるため、操作者は撮影後の移動時間等を有効に利用しながら編集情報を作成し、記録することができる。
【００７４】
また、操作者はカメラ１の表示部１１により、編集画像を再生表示して編集内容が好ましいかどうかを確認することもできる。
【００７５】
この実施例２においても実施例１と同様に、撮影と同期あるいは撮影の時々においてカメラ１からサーバ３の第二メモリ４に静止画と動画の高画質データとアドレス情報を送信し、その各送信が完了した時点で、第一メモリ２からは各高画質データは自動的に消去されるようにしているため、カメラ１の第一メモリ２は容量が小さなものでよい。
【００７６】
また、第二メモリ４からの高画質データの機器６への読み取りや、第二メモリ４の高画質データをグループ化すれば被撮影者がサーバ３にアクセスして被撮影者自身の静止画や動画を読み取ったり、自らの機器にダウンロードすることができることは、上記実施例１と同様である。
【００７７】
図９は、編集情報の入力時にカメラ１の表示部１１に表示させることができる一覧表を示した図である。操作者が選択した静止画、動画の一覧が再生の順序に表示され、例えば左側から、ファイルの種類、タイトル、時間、コメントが項目表示される。そして、例えば、ゴルフコンペの際に撮影したデータの場合は、タイトル欄に「○○さんショット」、「△△さんパター」のように、選択画像を特定できる名前を付けることもできる。動画データの場合はサムネイル画像としては最初のコマを表示させる等でどの動画データかを容易に認識できる。
【００７８】
また、この一覧表に、各々の縮小データに対応する基の高画質データのファイルサイズを表示しておき、最下欄にそれらの合計を表示するようにすれば、編集後の合計データサイズを容易に知ることができ、場合によっては再編集することも可能となる。例えば、編集後のデータを容量が６５０メガバイトのＣＤ−Ｒに記録しようとした時に、合計ファイルサイズが「６８０メガバイト」と表示されていれば、動画ファイルのいずれかを編集し直すか、静止画のいずれかを削除するか、あるいは容量が７００メガバイトのＣＤ−Ｒに記録する等の選択を容易に行うことができる。
【００７９】
次に、機器６への編集データの記録作業については、実施例１において図６で説明した作業と同様に行うことができる。すなわち、先ほどの例で説明すると、「動画Ａ、動画Ｂ、静止画Ｘ、静止画Ｙ、動画Ｃ、静止画Ｚ」の順で編集すべきグループ情報が編集情報読み取り手段１６により読み取られる。次に、上記グループ情報が編集手段１７により高画質データと合成され、パソコン等の機器のハードディスク、あるいはＣＤ−Ｒ／ＲＷ、ＤＶＤ−Ｒ／ＲＷ等の指定された編集画像記録手段１８に動画Ａから静止画Ｚまでの高画質データが順次記録され、保存される。
【００８０】
（実施例３）
次に、本発明の実施例３について図１０を用いて説明する。実施例１及び２においては、編集情報を用いて高画質データの編集について説明したが、例えば、ＣＤ−Ｒ等への高画質データの記録時等に、編集グループを選択して記録したり、編集グループを入れ替えたりしたい場合がある。
【００８１】
図１０は上記のような目的を可能にするために、機器６側の表示部に表示させる一覧表を示した図である。表示項目は図９とほぼ共通であるが、異なる項目としては「ダウンロード」の項目を設けたことである。例えば各画像データにつき、このダウンロードの項目を「ＹＥＳ」で選択すれば、その選択された画像データについてはネットワークを介して第二メモリ４からダウンロードされる。また、ダウンロードの項目を「ＮＯ」で選択すれば、その選択された画像データについてはダウンロードしない、という選択がなされる。例えば基の編集情報は同じでも、最終記録時点で編集したい場合、あるいは画像データの組み合わせに関して複数のバリエーションの編集データを作成したいような場合にはかかる方法で組み合わせを変更して最終の編集データを記録できる。
【００８２】
また、以上の操作は必ずしもネットワークで接続されたサーバ３の第二メモリ４からではなくとも、例えば、可搬タイプの大容量ＨＤＤメモリに高画質データを別途記録している場合等では、当該記録媒体とパーソナルコンピュータとをＵＳＢあるいはＩＥＥＥ１３９４等に準拠したケーブルで接続したり、あるいはブルートゥース等のワイヤレスの送信方法を用いて、編集画像データを機器側のＨＤＤあるいはパーソナルコンピュータに装着したＣＤ−Ｒ等の記録可能型ディスク等の記録媒体に転送して記録することができる。
【００８３】
また、前述のように複数の類型のグループ情報を作成した場合は、その編集情報に名前を付して記録しておくことも可能であり、前述したゴルフコンペ等の画像を撮影したような場合でも、参加者個別の映像を簡単に編集することも可能となる。
【００８４】
なお、上記の各実施例では第１、第２、第３の編集情報をそれぞれ作成するものにつき説明したが、これは例えば第３の編集情報まで必要としない場合は、第１、第２の編集情報を作成するようにしたものであってもよく、また、第２、第３の編集情報を必要としない場合は第１の編集情報のみ作成するようにしたものでも同様である。
【００８５】
また、上記の各実施例では各編集情報の入力はカメラに設けられた押圧タイプの操作ボタンにより行うものとして説明したが、この種の操作手段としては押圧タイプの操作ボタンに限定されるものではなく、スライドタイプの操作手段や一般に広く知られている十字キー、あるいはジョイスティックタイプの操作手段であってもよい。このような操作手段を用いると、画像情報の並び替えに際しては、パーソナルコンピュータの画面上でドラッグアンドペーストの操作をする感覚で操作者が簡単に画像の並び替えを行うことができる。
【００８６】
本発明におけるカメラは、携帯電話機器等に備えられたカメラであっても同様であり、そして、その携帯電話機器等の通信機器を用いてサーバとの通信を行うようにしても同様である。
【産業上の利用可能性】
【００８７】
本発明は、画像を表示する表示手段と通信機能を有した画像撮像装置を用いたシステムとして広くニュース取材等の業務用としても利用することができる。
【図面の簡単な説明】
【００８８】
【図１】本発明の実施形態におけるシステム構成を示す概略図
【図２】本発明の実施例１における撮影データを示す図
【図３】本発明の実施例１におけるカメラの後面部を示す図
【図４】本発明の実施例１における抽出画像データをグループ化する方法を説明する図
【図５】本発明の実施例１における静止画編集時のカメラの表示部を示す図
【図６】本発明の実施例１における画像データの編集方法を示すブロック図
【図７】本発明の実施例２における抽出画像データをグループ化する方法を説明する図
【図８】本発明の実施例２における動画編集時のカメラの表示部を示す図
【図９】本発明の実施例２における画像合成状態の表示部の一覧表示を示す図
【図１０】本発明の実施例３における画像合成状態の表示部の一覧表示を示す図
【符号の説明】
【００８９】
１  カメラ
２  第一メモリ
３  サーバ
４  第二メモリ
５  第一ネットワーク
６  機器
７  第二ネットワーク
１１  表示部
１２  操作ボタン
【図１】
2005223795.tif 000003
【図２】
2005223795.tif 000004
【図３】
2005223795.tif 000005
【図４】
2005223795.tif 000006
【図５】
2005223795.tif 000007
【図６】
2005223795.tif 000008
【図７】
2005223795.tif 000009
【図８】
2005223795.tif 000010
【図９】
2005223795.tif 000011
【図１０】
2005223795.tif 000012